(57)【特許請求の範囲】
【請求項１】
戸袋の内外に延びるレールベースと、該レールベースに付設し、上下に相対向する保持溝を形成するガイドレールと、戸袋内の前記ガイドレールの先端に付設する係合部材と、前記ガイドレールに装着する吊戸駆動用のリニアモータとを備えてなり、前記係合部材は、前記保持溝に移動調節可能に保持する取付ベースと、前記各保持溝を覆うようにして前記取付ベースにねじ止めするブラケットとを介して前記ガイドレールの先端からの突出量を設定してロック可能であり、前記ガイドレールは、前記係合部材を戸袋内の竪枠の係合孔に挿入し、戸袋外において前記レールベースにねじ止めすることを特徴とする吊戸用のガイドレールの取付構造。
【請求項２】
前記係合部材は、先細の縦長ブロック状に形成することを特徴とする請求項１記載の吊戸用のガイドレールの取付構造。
【請求項３】
前記係合孔は、竪枠に付設する補強板と共通に形成することを特徴とする請求項１または請求項２記載の吊戸用のガイドレールの取付構造。
【請求項４】
前記リニアモータの固定位置は、前記保持溝に移動調節可能に保持する前記リニアモータ用の取付ベースを介し、前記ガイドレールの長手方向に調節してロック可能であることを特徴とする請求項１ないし請求項３のいずれか記載の吊戸用のガイドレールの取付構造。
【発明の詳細な説明】
【０００１】
【発明の属する技術分野】
この発明は、戸袋を分解することなく、吊戸駆動用のリニアモータを簡単に保守点検することができる吊戸用のガイドレールの取付構造に関する。
【０００２】
【従来の技術】
引戸式の吊戸を吊下するガイドレールは、戸袋の内外に延びるレールベースに固定され、吊戸を戸袋の内外に移動させることができる。
【０００３】
すなわち、ガイドレールは、レールベースに対し、戸袋の内外においてそれぞれねじ止めして取り付けられている。また、吊戸を開閉駆動するリニアモータは、ガイドレールと平行にレールベースにねじ止めされている。そこで、リニアモータは、保守点検のためにレールベースから取り外すとき、戸袋を一旦分解し、止めねじを外してレールベースから取り外さなければならず、保守点検後、レールベースに組み付けて戸袋を再組立する必要がある。
【０００４】
【発明が解決しようとする課題】
かかる従来技術によるときは、リニアモータは、保守点検するに際して戸袋を分解しなければならないから、全体作業が極めて煩雑であるという問題があった。
【０００５】
そこで、この発明の目的は、かかる従来技術の問題に鑑み、ガイドレールにリニアモータを装着し、ガイドレールの先端に係合部材を付設することによって、戸袋を分解することなく、リニアモータを簡単に保守点検することができる吊戸用のガイドレールの取付構造を提供することにある。
【０００６】
【課題を解決するための手段】
かかる目的を達成するためのこの発明の構成は、戸袋の内外に延びるレールベースと、レールベースに付設し、上下に相対向する保持溝を形成するガイドレールと、戸袋内のガイドレールの先端に付設する係合部材と、ガイドレールに装着する吊戸駆動用のリニアモータとを備えてなり、係合部材は、保持溝に移動調節可能に保持する取付ベースと、各保持溝を覆うようにして取付ベースにねじ止めするブラケットとを介してガイドレールの先端からの突出量を設定してロック可能であり、ガイドレールは、係合部材を戸袋内の竪枠の係合孔に挿入し、戸袋外においてレールベースにねじ止めすることをその要旨とする。
【０００７】
なお、係合部材は、先細の縦長ブロック状に形成することができる。
【０００８】
また、係合孔は、竪枠に付設する補強板と共通に形成してもよい。
【０００９】
さらに、リニアモータの固定位置は、保持溝に移動調節可能に保持するリニアモータ用の取付ベースを介し、ガイドレールの長手方向に調節してロック可能であってもよい。
【００１０】
【作用】
かかる発明の構成によるときは、リニアモータを装着するガイドレールは、先端の係合部材を戸袋内の固定材に係合させて着脱自在に固定し、戸袋外においてレールベースにねじ止めすることにより、戸袋の内外に延びるリニアモータを所定位置に設置することができる。なお、ガイドレールには、吊戸を開閉自在に吊下し、リニアモータは、吊戸を開き方向、閉じ方向に駆動することができる。そこで、ガイドレールは、止めねじを外して係合部材を戸袋内の固定材から分離させることにより、戸袋を分解することなく、リニアモータとともに戸袋の外部に取り出すことができる。なお、係合部材を係合させる固定材は、戸袋内の竪枠の他、戸袋内に設置する係合ブラケットや、戸袋内に露出する壁の一部等を使用することができる。
【００１１】
先細の係合部材は、固定材の係合孔に容易に挿入して係合させることができる。
【００１２】
係合部材は、固定位置を調節してガイドレールからの突出量を設定し、固定材の係合孔に対して適切な深さに挿入することができる。
【００１３】
連結部材を介してリニアモータの可動子を吊戸に連結すれば、連結部材の形状を適切に選定することにより、リニアモータに対する吊戸の連結位置に関し、設計上の自由度を大きくすることができる。
【００１４】
リニアモータは、固定位置を調節することにより、吊戸の開閉ストロークに合わせて適切に位置決めして固定することができる。
【００１５】
リニアモータ用の取付ベースを移動調節可能に保持するガイドレールは、取付ベースを介してリニアモータを所定の固定位置に容易にセットするとともに、取付ベースを拘束してリニアモータを固定することができる。
【００１６】
【発明の実施の形態】
以下、図面を以って発明の実施の形態を説明する。
【００１７】
吊戸用のガイドレールの取付構造は、戸袋Ｓの内外に延びるレールベース１５と、レールベース１５に付設するガイドレール１１と、ガイドレール１１の先端に付設する係合部材１２と、ガイドレール１１に装着するリニアモータ２１とを備えてなる（図１、図２）。
【００１８】
レールベース１５、ガイドレール１１は、壁ＷＬの開口部に設ける戸枠４０の上部に組み付けられている。戸枠４０は、竪枠４１、４１、上枠４２を組み合わせて形成され、戸枠４０には、戸袋Ｓを形成する表裏のパネル４３、４３、上方の表裏の補助パネル４４、４４が組み付けられている。また、戸枠４０には、ガイドローラ３１ａ、３１ａを介してガイドレール１１から吊下する吊戸３１が組み込まれ、ガイドローラ３１ａ、３１ａは、それぞれブラケット３１ｂを介して吊戸３１の上端に装着されている。なお、吊戸３１の戸先側の表面、裏面には、それぞれ把手３１ｄが付設されている。
【００１９】
吊戸３１は、パネル４３、４３、補助パネル４４、４４とともに壁ＷＬの開口部を閉じることができ、パネル４３、４３は、それぞれの間に形成する戸袋Ｓ内に開放時の吊戸３１を収納することができる。また、上部の補助パネル４４、４４は、着脱可能に取り付けられ、パネル４３、４３とともにレールベース１５、ガイドレール１１、リニアモータ２１を隠蔽している。なお、吊戸３１の下部は、床Ｆに立設するガイドローラ３２に係合して開閉自在に拘束されている。
【００２０】
レールベース１５の前面下部には、戸袋Ｓ内においてガイドレール１１を支持する支持ブロック１５ｃ、１５ｃ…が列設されている。また、レールベース１５は、上部に前向きのフランジ１５ａが形成され、止めねじ１５ｂ、１５ｂ…を介して上枠４２にねじ止めされている（図１、図３）。ただし、図３には、１本の止めねじ１５ｂのみが図示されている。
【００２１】
ガイドレール１１は、レールベース１５の前面に固定されている。ガイドレール１１の上半部には、取付部１１ａが形成されており、取付部１１ａには、上下に相対向する保持溝１１ｂ、１１ｂが形成されている。また、ガイドレール１１の下端には、前向きのフランジ１１ｃが形成され、フランジ１１ｃの先端には、吊戸３１のガイドローラ３１ａ、３１ａが係合する上向きの係合リブ１１ｄが形成されている。
【００２２】
係合部材１２は、ブラケット１２ａを介し、戸袋Ｓ内のガイドレール１１の先端に付設されている（図１、図２）。係合部材１２は、上下左右の側面を先端に向けて斜めに切り欠いて先細に形成され、ブラケット１２ａの一面に突設されている。なお、ガイドレール１１の保持溝１１ｂ、１１ｂには、取付ベース１２ｃが移動調節可能に保持されており、ブラケット１２ａは、ボルト１２ｂ、１２ｂ…を取付ベース１２ｃにねじ込んで固定されている。
【００２３】
ブラケット１２ａは、ボルト１２ｂ、１２ｂ…を緩め、取付ベース１２ｃを介してガイドレール１１の長手方向に固定位置を調節し、ガイドレール１１の先端から突出する係合部材１２の突出量を設定することができ、ボルト１２ｂ、１２ｂ…を締め付けて取付ベース１２ｃを拘束し、ブラケット１２ａ、係合部材１２を適切な固定位置にロックすることができる。なお、戸袋Ｓ内の竪枠４１の上部には、補強板４１ｂが付設され、係合部材１２に適合する係合孔４１ａが補強板４１ｂと共通に形成されている。
【００２４】
ガイドレール１１は、戸袋Ｓ内において、係合部材１２を竪枠４１の係合孔４１ａに挿入して竪枠４１に係合させ、先端を着脱可能に固定するとともに、支持ブロック１５ｃ、１５ｃ…を介して中間部を支持することができる。また、ガイドレール１１は、戸袋Ｓ外において、止めねじ１１ｅ、１１ｅ…を介してレールベース１５の前面にねじ止めされている（図２、図３）。なお、ガイドレール１１は、戸袋Ｓ外の竪枠４１との間に十分な余裕スペースｄを設け、レールベース１５に沿って平行移動させることにより、戸袋Ｓ内の係合孔４１ａに対して係合部材１２を容易に挿入し、抜き取ることができる。
【００２５】
リニアモータ２１は、取付ベース２１ｅ、２１ｅを介してガイドレール１１の取付部１１ａに装着されている（図１、図３）。すなわち、リニアモータ２１の各端部は、保持溝１１ｂ、１１ｂにより移動調節可能に保持する取付ベース２１ｅにボルト２１ｄ、２１ｄをねじ込んで固定されている。リニアモータ２１は、ボルト２１ｄ、２１ｄ…を緩め、取付ベース２１ｅ、２１ｅを介して固定位置をガイドレール１１の長手方向に調節することができ、ボルト２１ｄ、２１ｄ…を締め付けて取付ベース２１ｅ、２１ｅを拘束し、適切な固定位置にロックすることができる。
【００２６】
リニアモータ２１の可動子２１ａは、戸袋Ｓ外において、連結部材２２を介し、ガイドレール１１から吊下する吊戸３１に着脱可能に連結されている（図３、図４）。連結部材２２は、止めねじ２２ｃ、２２ｃを介して吊戸３１の戸先側のブラケット３１ｂの上部に装着されており、ガイドレール１１に沿って延びる延長部２２ａには、後向きの係合片２２ｂ、２２ｂが形成されている。一方、可動子２１ａには、止めねじ２１ｃ、２１ｃを介し、連結部材２２の係合片２２ｂ、２２ｂが左右両側から係合する係合部材２１ｂが下向きに装着されている。なお、ブラケット３１ｂは、スペーサ３１ｃを介して吊戸３１の上端面に固定されている。
【００２７】
リニアモータ２１は、把手３１ｄを介して吊戸３１を開き方向に操作すると、可動子２１ａを駆動して吊戸３１を開き方向に駆動し、吊戸３１を全開に開くことができる（図２の二点鎖線）。このとき、把手３１ｄに加える開き方向の操作力は、約５００ｇ程度に小さく設定するのがよい。また、リニアモータ２１は、戸枠４０内に障害物がないことを条件にして、吊戸３１を自動的に全閉することができる（図２の実線）。なお、吊戸３１は、停電時においても、手動により軽快に開閉操作することができる。ただし、リニアモータ２１は、たとえば光電スイッチなどを利用して、全自動により吊戸３１を開閉してもよい。
【００２８】
リニアモータ２１は、次のようにして戸袋Ｓ外に取り出し、簡単に保守点検することができる。
【００２９】
リニアモータ２１を取り外すときは、表面側の補助パネル４４を外し（図２、図５）、連結部材２２を取り外してリニアモータ２１を吊戸３１から切り離し、吊戸３１をガイドレール１１から取り外す。次に、止めねじ１１ｅ、１１ｅ…を取り外し、ガイドレール１１を吊戸３１の戸先側に移動させて係合部材１２を係合孔４１ａから抜き取り（図２の矢印Ｋ1 方向、図５の実線）、ガイドレール１１をレールベース１５から分離させた上、ガイドレール１１、リニアモータ２１の戸袋Ｓの外側部分を下に傾けながら戸袋Ｓの外部に取り出す（図５の二点鎖線）。そこで、リニアモータ２１は、ガイドレール１１から取り外し、またはガイドレール１１上に設置したまま保守点検することができる。
【００３０】
リニアモータ２１を再取付けするときは、リニアモータ２１をガイドレール１１に装着し、ガイドレール１１、リニアモータ２１の先端側を戸袋Ｓ内に入れるとともにガイドレール１１をレールベース１５の前面に押し付けるようにして支持ブロック１５ｃ、１５ｃ…上に載せる（図５の実線）。その後、ガイドレール１１を戸袋Ｓ内に押し込んで移動させ（図２の矢印Ｋ1 と逆方向）、先端の係合部材１２を係合孔４１ａに差し込み（図２）、戸袋Ｓ外においてガイドレール１１をレールベース１５にねじ止めすればよい。なお、引きつづいて、吊戸３１をガイドレール１１に吊下し、連結部材２２を取り付けてリニアモータ２１の可動子２１ａを吊戸３１に連結し、表面側の補助パネル４４を取り付ける。
【００３１】
以上の説明において、リニアモータ２１の可動子２１ａは、連結部材２２を介し、吊戸３１を開き方向、閉じ方向に駆動する。そこで、連結部材２２は、このようなリニアモータ２１の機能を阻害せず、吊戸３１のほぼ全閉状態において戸袋Ｓ外に露出して着脱し得る限り、形状を任意に変更することができ、ブラケット３１ｂ以外の吊戸３１の任意の位置に固定することができる。また、連結部材２２は、係合片２２ｂ、２２ｂに代えて、適当な連結ピンや連結ボルトなどを介して可動子２１ａ、または可動子２１ａ側の係合部材２１ｂに連結することができる。
【００３２】
さらに、ガイドレール１１の先端の係合部材１２は、竪枠４１に係合させるに代えて、戸袋Ｓ内に設ける係合ブラケットや、戸袋Ｓ内に露出する壁ＷＬの一部等の任意の固定材に係合させてもよい。また、係合部材１２のブラケット１２ａは、取付ベース１２ｃに代えて、ボルト１２ｂ、１２ｂ…を挿入する長孔を介してガイドレール１１の長手方向に固定位置を調節してもよい。
【００３３】
【発明の効果】
以上説明したように、この発明によれば、戸袋の内外に延びるレールベースと、レールベースに付設するガイドレールと、ガイドレールの先端に付設する係合部材と、ガイドレールに装着するリニアモータとを備えることによって、ガイドレールは、係合部材を戸袋内の固定材に係合させて先端を着脱可能に固定し、戸袋外においてレールベースにねじ止めしてリニアモータを所定位置に設置し、止めねじを外してリニアモータとともに戸袋の外部に取り出すことができるから、戸袋を分解することなく、リニアモータを簡単に保守点検することができるという優れた効果がある。
【図面の簡単な説明】
【図１】  要部拡大分解斜視図（１）
【図２】  使用状態説明図（１）
【図３】  図２のＸ−Ｘ線矢視相当拡大断面図
【図４】  要部拡大分解斜視図（２）
【図５】  使用状態説明図（２）
【符号の説明】
Ｓ…戸袋
１１…ガイドレール
１１ｂ…保持溝
１２…係合部材
１５…レールベース
２１…リニアモータ
２１ａ…可動子
２１ｅ…取付ベース
２２…連結部材
３１…吊戸
【図１】
0004486220.tif 000002
【図２】
0004486220.tif 000003
【図３】
0004486220.tif 000004
【図４】
0004486220.tif 000005
【図５】
0004486220.tif 000006